(57)【要約】【課題】  保冷庫及び保温庫が容易に組立・解体ができ、しかも移動も自由にすることができ、設置場所や使用範囲に限定されることのない組立式の保冷庫及び保温庫を提供することを目的とする。【解決手段】  パイプ状のフレーム体を組立・解体可能に構成し、組立状態で移動可能なパイプ状のフレーム体と、前記フレーム体を覆う気密性を有する外装断熱シートと、前記外装断熱シートの一側面に設けた出入口用の開閉機構と、前記外装断熱シートの覆う内部の空気は循環通路を通って循環させて冷却する冷却装置を設ける。【選択図】  図５
2013088041.tif 000002
【特許請求の範囲】
【請求項１】
パイプ状のフレーム体を組立・解体可能に構成し、組立状態で移動可能なパイプ状のフレーム体と、
前記フレーム体を覆う気密性を有する外装断熱シートと、
前記外装断熱シートの一側面に設けた出入口用の開閉機構と、
前記外装断熱シートの覆う内部の空気は循環通路を通って循環させて冷却する冷却装置を設けてなることを特徴とする組立式の保冷庫及び保温庫。
【発明の詳細な説明】
【技術分野】
【０００１】
本発明は、組立式かつ移動自在な保冷庫及び保温庫に関する。
【背景技術】
【０００２】
野菜や果樹等の農作物や花き等の保存庫としては、保存庫自体の設置方法が固定式で移動することができない状態であり、一度組み立てると容易に解体することができないものが一般的である。
【０００３】
また、上記保存庫を冷蔵庫として利用する場合には、外部に冷却機を設置し、該冷却機を介して冷蔵庫内を低温状態にすることも知られている。
【０００４】
特許文献１には、冷却機を有する冷蔵庫の内部に通孔を有する小型のプラスチック製容器に収納した柑橘類を気密に覆う塩化ビニールシート製の方形状テント形の覆いをワイヤーで吊り下げて設け、調整空気循環路には、冷却機および加湿器を備え、これから通常の空気の温度および湿度を調整した空気を覆いの内部に供給する手段が開示されている。
【先行技術文献】
【特許文献】
【０００５】
【特許文献１】特許第２５０１４２８号公報
【発明の概要】
【発明が解決しようとする課題】
【０００６】
しかしながら、上記特許文献１では、保存装置が大掛かりになるため、保存装置を自在に組立・解体することはできず、また、自由に移動することもできないため、設置場所や使用範囲が限定されるという問題があった。
【０００７】
本発明は、このような実情に鑑みてなされたもので、保冷庫及び保温庫が容易に組立・解体ができ、しかも移動も自由にすることができ、設置場所や使用範囲に限定されることのない組立式の保冷庫及び保温庫を提供することを目的とする。
【課題を解決するための手段】
【０００８】
上記課題を解決するために、本発明の組立式の保冷庫及び保温庫は、パイプ状のフレーム体を組立・解体可能に構成し、組立状態で移動可能なパイプ状のフレーム体と、前記フレーム体を覆う気密性を有する外装断熱シートと、前記外装断熱シートの一側面に設けた出入口用の開閉機構と、前記外装断熱シートの覆う内部の空気は循環通路を通って循環させて冷却する冷却装置を設けてなることを特徴とする。
【発明の効果】
【０００９】
本発明によれば、組立や解体さらには移動も容易にしかも自由にすることができるため、設置作業も短時間で簡単に行えることから設置場所や使用範囲に限定されることがない。
【図面の簡単な説明】
【００１０】
【図１】は本発明に係る組立式の保冷庫及び保温庫のパイプ状フレームの組立前の状態を示す斜視図である。
【図２】は本発明に係る組立式の保冷庫及び保温庫のパイプ状フレームを組立てた状態を示す斜視図である。
【図３】は本発明に係る組立式の保冷庫及び保温庫のパイプ状フレームに外装断熱シートを覆った状態を示す斜視図である。
【図４】は本発明に係る組立式の保冷庫及び保温庫の外装断熱シートと外装断熱シートを結合する状態を示す斜視図である。
【図５】は本発明に係る組立式の保冷庫及び保温庫を示す概略図である。
【図６】は外装断熱シート内に冷却装置からの冷気を循環させる循環手段を示す斜視図である。
【図７】は本発明に係る組立式の保冷庫及び保温庫の株の床に敷かれる床断熱シートの一部断面図である。
【図８】は本発明に係る組立式の保冷庫及び保温庫を屋外に使用する場合の概略図である。
【発明を実施するための最良の形態】
【００１１】
以下、本発明を実施するための最良の実施形態について説明する。
図１，図２に示すように、フレーム体１は複数の鉄製パイプ２を組み合わせてなる角形のテント骨組み構造であり、４本の脚部パイプ２ａと４本の上部パイプ２ｂと３本の下部パイプ２ｃと３本の上部補強パイプ２ｄがそれぞれ組み合わされる構造となっている。
【００１２】
即ち、上部パイプ２ｂの先端部２ｂ′及び先端部２ｂ"は、脚部パイプ２ａの上側部２ａ′に設けられた２個の筒部２ａ",２ａ"内にそれぞれ挿入され、他の各パイプ２ａ，２ｂ，２ｃはそれぞれの接合部分が図示しないボルト・ナットで固定され、また、上部組立の補強用としてパイプ２ｄの両端部に形成されたＣ形端部がパイプ２ｂにそれぞれ嵌め込まれる構造となっている。
【００１３】
また、脚部パイプ２ａの上部には、角形のテント状骨組みを維持するための補強部２ｅが設けられ、上部パイプ２ｂの接続部分に図示しないボルト・ナットで固定されている。
【００１４】
また、脚部パイプ２ａの下端部には、フレーム体１を安定的に保持するための保持具２ｆがそれぞれ設けられている。
４本の脚部パイプ２ａと固定される下部パイプ２ｃは３本であるが、一ヶ所は出入口用とするため、設置しない構造となっている。
【００１５】
図３，図５に示すように、組み立てたフレーム体１は、その上から気密性のある軽量の外装断熱シート３で覆われ、当該外装断熱シート３は各パイプ２ａ，２ｂ，２ｃに紐等の固定具を用いて着脱自在に固定されている。
そして、外装断熱シート３の下部には、帯状のバンド４が縫い付けられている。この帯状のバンド４には、１０〜１５ｃｍ間隔に図示しないハトメが取付けられ、当該ハトメにロープ等を通し帯状のバンド４がフレーム体１のパイプ２ｃに固定される。
また、外装断熱シート３の各側面底部には、フレーム体１の縦長より長い垂部３ｂが設けられ、外気との遮断を行う構造となっている。
【００１６】
また、外装断熱シート３の側面部３ａには、ファスナー等による開口部５が設けられ、ファスナー５を開き巻き上げて巻上束を紐等の保持具６で保持することにより出入口７が形成される。
【００１７】
図４に示すように、各面を構成する外装断熱シート３，３同士を結合する場合には、一方の外装断熱シート３に縫いつけた帯状の断熱シート８を挟んで、他方の外装断熱シート３を帯状の断熱シート８の上に載せるようにして、空気の出入りを防ぎながらロープ等の固定具９により、各外装断熱シート３に設けられた孔１０に相互に編み込むように固定する。
【００１８】
また、外装断熱シート３の側面部３ｃには、外装断熱シート３の覆う内部の空気を循環させる循環通路１１ａ，１１ｂが設けられている。
図６に示すように、当該循環通路１１ａ，１１ｂの外側開口部内には、冷却装置１２のジャバラ状パイプ１２ａ，１２ｂが挿入され、ロープ等の固定具１３により固定され循環手段が形成されている。
そして、外装断熱シート３の覆う内部の空気を下側の循環通路１１ｂからジャバラ状パイプ１２ｂを通り冷却装置１２に送り込まれ（一点破線Ａ参照）、冷却装置１２内で冷却された当該空気がジャバラ状パイプ１２ａを通り循環通路１１ａから送り出されることにより（一点破線Ｂ参照）、外装断熱シート３の覆う内部は冷却された状態となる。なお、冷却装置１２の下部にはキャスター等の移動具１２ｃが取付けられ移動可能に構成されている。
また、冷却温度は、冷却装置１２を手動調整又は自動調整されることで調整されることになる。
【００１９】
したがって、冷却装置１２により、保温の温度にも調整することもできるため、保温庫としても利用することができる。なお、保温庫専用の保温装置を設置してもよく、その場合には冷却装置１２と同様の構造となる。
【００２０】
図７に示すように、フレーム体１の床面には軟質断熱材１４を内部層に有する防水シート１５からなる床断熱シート１６が設置されている。
【００２１】
図８に示すように、本発明の組立式の保冷庫及び保温庫を屋外に設置する場合には、フレーム体１の天井屋根部１７を前述のフレーム体１のような水平状態ではなく、片側に屋根勾配を有するフレーム体構造とし、外装断熱シート３には、雨よけ用の防水シート１８が被せられ、また、冷却装置１２も同様に雨よけ用の防水シート１９が被せられる構造となっている。
さらに、フレーム体１の内壁には、垂部２０ａを有する断熱シート２０が内張りされている。
なお、上記雨よけ用の防水シート１９や内張りの断熱シート２０は、オプション方式で利用できるようにしても良い。
また、図８の符号が前述の図１〜図７までの符号と同じものは、同一の構成をなしている。
【００２２】
上述の構造を有する本発明の組立式の保冷庫及び保温庫は、組立式のフレーム体１を軽量の断熱シート３で直接覆うことで、外気との環境を容易に遮断することができ、しかも組み立てた状態で必要な場所に移動することができる。
【００２３】
また、上述の保冷庫及び保温庫は、解体，移動，再組立てが容易であるため、農家の納屋やガレージ等に設置して農作物、花等を入れて保冷庫として利用できる他、畑に設置して果樹，野菜，花きの保冷庫としても利用することができる。
また、保温庫としては、苗等の育苗室として利用することもできる。
【００２４】
さらに、イベント等の仮設用途や流通の短期移動の使用にも利用でき、市場，食品メーカー等での出荷待ちの品物の保冷庫としても利用することができる。
【符号の説明】
【００２５】
Ａ                循環通路内に送り込まれる空気の流れ
Ｂ                循環通路内に送り出される冷却空気の流れ
１                フレーム体
２                鉄製のパイプ
２ａ              脚部パイプ
２ａ′            上側部
２ａ"            筒部
２ｂ              上部パイプ
２ｂ′，２ｂ"    先端部
２ｃ              下部パイプ
２ｄ              上部補強パイプ
２ｅ              補強部
２ｆ              保持具
３                外装断熱シート
３ａ，３ｃ        側面部
３ｂ              垂部
４                帯状のバンド
５                開口部
６                保持具
７                出入口
８                帯状の断熱シート
９                固定具
１０              孔
１１ａ，１１ｂ    循環通路
１２              冷却装置
１２ａ，１２ｂ    ジャバラ状パイプ
１２ｃ            移動具
１３              固定具
１４              軟質断熱材
１５              防水シート
１６              床断熱シート
１７              天井屋根部
１８，１９        雨よけ用防水シート
２０              断熱シート
２０ａ            垂部
【図１】
2013088041.tif 000003
【図２】
2013088041.tif 000004
【図３】
2013088041.tif 000005
【図４】
2013088041.tif 000006
【図５】
2013088041.tif 000007
【図６】
2013088041.tif 000008
【図７】
2013088041.tif 000009
【図８】
2013088041.tif 000010